(57)【要約】【課題】より効率良く、かつ、パレンタルレベルの相違を容易に認識することができるデータ再生装置を提供する。【解決手段】ＤＶＤプレーヤー１０は、内容に応じてパレンタルレベルが付与されているデータを再生する機能を有し、さらに、ＤＶＤ２１０に記録されたデータから、パレンタルレベルの対象のデータを含むパレンタルブロックを抽出し、該パレンタルブロックに含まれる複数のパレンタルレベル間で異なる部分のデータを再生させる。【選択図】      図４
2005044388.tif 000002
【特許請求の範囲】
【請求項１】
内容に応じてパレンタルレベルが付与されたデータを再生する機能を備えたデータ再生装置であって、
記録媒体に記録されたデータから、パレンタルレベルの対象のデータを含むパレンタルブロックを抽出し、該パレンタルブロックに含まれる複数のパレンタルレベル間で異なる部分のデータを再生させる再生手段を有する、データ再生装置。
【請求項２】
前記再生手段は、パレンタルブロック内の第１のパレンタルレベルのデータと、第１のパレンタルレベルに隣接する第２のパレンタルレベルのデータの差分を再生させる、請求項１に記載のデータ再生装置。
【請求項３】
データ再生装置はさらに、パレンタルブロックにおけるパレンタルレベルの異なる部分のデータの再生が終了した後、当該パレンタルブロックについてのパレンタルレベルを選択するパレンタルレベル選択手段を有する、請求項１に記載のデータ再生装置。
【請求項４】
前記データ再生装置はさらに、前記パレンタルレベル選択手段によって複数のパレンタルブロックに対して選択されたパレンタルレベルのうち、いずれか一つをパレンタルレベルとして設定する、パレンタルレベル設定手段を有する、請求項３に記載のデータ再生装置。
【請求項５】
データ再生装置は、パレンタルブロックにおいてパレンタルレベル間で異なる部分のデータを再生するとき、その識別を表示する表示手段を含む、請求項１、２、３、４または５に記載のデータ再生装置。
【請求項６】
内容に応じてパレンタルレベルが付与されたデータを再生する機能を備えたデータ再生装置のパレンタルレベルの設定方法であって、
記録媒体に記録されたデータから、パレンタルレベルの対象のデータを含むパレンタルブロックを抽出するステップと、
該パレンタルブロックに含まれる複数のパレンタルレベル間で異なる部分のデータを再生させる再生ステップと、
前記パレンタルブロックのすべてのパレンタルレベルについての再生が終了した後、前記パレンタルブロックについてのパレンタルレベルを選択するステップと、
選択されたパレンタルレベルを記憶するステップと、
上記ステップを繰り返し、すべてのパレンタルブロックに対して選択されたパレンタルレベルのうち、いずれか１つのパレンタルレベルを最適なパレンタルレベルとして設定するステップとを有する、パレンタルレベルの設定方法。
【請求項７】
内容に応じてパレンタルレベルが付与されたデータを再生する機能を備えたデータ再生装置のパレンタルレベルの設定方法であって、
記録媒体に記録されたデータから、パレンタルレベルの対象のデータを含むパレンタルブロックを抽出するステップと、
パレンタルブロックに含まれる複数のパレンタルレベル間で異なる部分のデータを再生させる再生ステップと、
パレンタルブロックのすべてのパレンタルレベルについての再生が終了した後、パレンタルブロックについてのパレンタルレベルを選択するステップと、
選択されたパレンタルレベルを記憶するステップと、
上記ステップを繰り返し、すべてのパレンタルブロックに対して選択されたパレンタルレベルを最適なパレンタルレベルとしてパレンタルブロック毎に設定するステップとを有する、パレンタルレベルの設定方法。
【請求項８】
前記再生ステップは、各パレンタルレベルのデータの再生情報を対比することで、パレンタルレベル間の異なるデータを判別する、請求項６または７に記載のパレンタルレベルの設定方法。
【発明の詳細な説明】
【０００１】
【発明の属する技術分野】
本発明は、ディジタルバーサタイルディスク（ＤＶＤ）等の記録媒体に記録されたデータの再生を行うデータ再生装置に関し、特に、パレンタルレベルが付与されたデータの再生およびデータ再生装置におけるパレンタルレベルの設定に関する。
【０００２】
【従来の技術】
ＤＶＤプレーヤーは、プレーヤー側に設定したパレンタルレベルと、ディスク側に付与されたパレンタルレベルを比較し、設定したパレンタルレベル以下のディスクコンテンツを再生しないような視聴制限（パレンタル機能）を有している。これにより、例えば、親が子供に見せたくないような暴力シーン等を含まないシーンのみを再生するようにしている。
【０００３】
パレンタルブロックは、１から８までのレベルが存在し、これらのレベルはディスクに管理情報として記録されている。親は、パレンタルレベルに該当しているけれども、「この場面は子供に見せたいが、あの場面は見せたくない」と思うシーンがある場合等には、事前視聴により最適なパレンタルレベルを探し出してからパレンタルレベルを設定する必要がある。しかし、ユーザーは、どの場面がパレンタルブロックに該当するかを判別する術が無いため、どのレベルまでパレンタルを制限すればよいか、また、レベル毎にどれだけ差があるのかは、実際にパレンタルレベルを設定し、いろいろ変更して違いを見つけなければならなかった。
【０００４】
こうした問題に関して、例えば特許文献１は、任意のパレンタルレベルの情報のみを高速再生するようなスキップ再生を開示している。これは、例えば、図６（ａ）に示すように、例えばＤＶＤプレーヤー装置のパレンタルレベルが８に設定されているとすると、プログラムチェーン（ＰＧＣ）に含まれるデータのうち、共通部分（レベル１―８）のデータは、スキップされ、パレンタルブロックのレベル８に相当するデータが再生される。これにより、各パレンタルレベルの情報の内容の違いを短時間で効率良く認識することを可能としている。また、図６（ｂ）に示すように、最高レベルのパレンタルレベル８の情報を再生した後、パレンタルレベル７８の情報を再生し、以降、順次下位レベルのパレンタルレベルの情報を再生することで、効率良くパレンタルレベルの確認を行うことを可能にしている。
【０００５】
【特許文献１】
特開平１１−１４４４１号
【０００６】
【発明が解決しようとする課題】
しかしながら、上記特許文献１に示すようなパレンタルレベルの情報の再生方法には、次のような課題がある。特許文献１では、図６に示すように、パレンタルレベルの確認すなわちその再生を、プログラムチェーン（ＰＧＣ）単位で行うものであるため、プログラムチェーンが長いものであると、それに比例して確認するための時間も長くなってしまう。また、特許文献１は、パレンタルレベルの情報の再生について詳述しているが、ＤＶＤプレーヤー側におけるパレンタルレベルの最適な設定方法に関しては何ら言及していない。
【０００７】
そこで本発明は、上記従来の課題を解決し、より効率良く、かつパレンタルレベルの相違を容易に認識することが可能なデータ再生装置を提供することを目的とする。
さらに本発明は、ユーザーにとって、最適なパレンタルレベルの設定を簡単にかつ効率良く行うことができるデータ再生装置およびその装置におけるパレンタルレベルの設定方法を提供することを目的とする。
【０００８】
【課題を解決するための手段】
本発明に係るデータ再生装置は、内容に応じてパレンタルレベルが付与されたデータを再生する機能を備え、さらに、記録媒体に記録されたデータから、パレンタルレベルの対象のデータを含むパレンタルブロックを抽出し、該パレンタルブロックに含まれる複数のパレンタルレベル間で異なる部分のデータを再生させる再生手段を有するものである。
【０００９】
本発明では、パレンタルブロック内の各パレンタルレベル間の異なる部分のデータを再生するようにしたので、両者の相違をより顕著に認識することができるとともに、パレンタルレベルを確認する際のデータ再生時間を短縮し、その効率化を図ることができる。
【００１０】
再生手段は、パレンタルブロック内の第１のパレンタルレベルのデータと、第１のパレンタルレベルの次の第２のパレンタルレベルのデータとの差分のデータを再生させることができ、好ましくは、最低のパレンタルレベルから順次その次の隣接するパレンタルレベルのデータとの差分を再生する。これにより、パレンタルレベル間の異なる部分を効率良く確認することができる。
【００１１】
データ再生装置はさらに、パレンタルブロックに含まれるすべてのパレンタルレベルについての再生が終了したのち、当該パレンタルブロックについてパレンタルレベルを選択するためのパレンタルレベル選択手段を有する。これにより、パレンタルブロック毎に最適なパレンタルレベルを選択することができる。
【００１２】
データ再生装置はさらに、パレンタルレベル選択手段によって複数のパレンタルブロックに対して選択されたパレンタルレベルのうち、いずれか一つをパレンタルレベルとして設定する、パレンタルレベル設定手段を有する。これとは別に、パレンタルレベル設定手段は、パレンタルブロック毎に選択されたパレンタルレベルを、パレンタルブロック毎のパレンタルレベルとして設定することも可能である。
【００１３】
さらに好ましくは、パレンタルブロックにおいてパレンタルレベル間で異なる部分のデータを再生しているとき、ユーザーがそれを容易に認識できるようにするため、その識別をディスプレイに表示させるようにしてもよい。
【００１４】
【発明の実施の形態】
以下、本発明の実施の形態について図面を参照して詳細に説明する。図１は、本実施の形態に係るＤＶＤプレーヤーの構成を示すブロック図である。同図において、ＤＶＤプレーヤー１０は、ＤＶＤ２０に記録されたデータを光ピックアップにより光学的に読み取りこれをデジタルデータに変換する読取駆動部３０、ユーザーとプレーヤー間の入力インターフェースを構成する入力部４０、ＤＶＤ２０から読み出された画像データをディスプレイ５２へ出力するためのＤ／Ａ変換器等を含む画像処理部５０、ＤＶＤ２０から読み出されたオーディオデータをスピーカ６２へ出力するためのＤ／Ａ変換器等を含むオーディオ処理部６０、プログラムを含むプログラムメモリ７０、種々のデータを記憶するデータメモリ８０、設定されたパレンタルレベルを記憶するパレンタルレベル記憶部８８、およびこれらの各部を制御する制御部９０を含んでいる。
【００１５】
ＤＶＤ２０は、スピンドルモータによって一定の速度で回転される。読取駆動部３０は、半導体レーザ等を内蔵した光ピックアップを、ＤＶＤ２０の半径方向に移動させ、ＤＶＤ２０からの反射光を光電変換し、これをデジタルデータに変換する。読み取られたデータは、制御部９０によって画像データとオーディオデータに分離される。画像データとオーディオデータは、それぞれ画像処理部５０とオーディオ処理部６０を介してディスプレイ５２とスピーカ６２から出力される。
【００１６】
プログラムメモリ７０は、好ましくはハードディスク、ＲＯＭ、不揮発性ＲＡＭを用いて構成することができ、ＤＶＤプレーヤー１０が行うべく種々の動作を規定するためのプログラムを含む。例えば、ＤＶＤに記録されたデータを読み取りこれを再生させる動作を規定するデータ再生プログラム７２や、さらに本発明では、ＤＶＤに記録されたデータのパレンタルレベルをチェックするためのパレンタルレベルチェック用のプログラム７４や、そのチェック結果に応じてＤＶＤプレーヤーにパレンタルレベルを設定するためのパレンタルレベル設定用のプログラム７６等を有している。
【００１７】
データメモリ８０は、好ましくはハードディスク、ＤＲＡＭ、ＳＲＡＭを用いて構成され、ＤＶＤ２０から読み出されたデータを一時記憶したり、制御部９０による演算結果等を記憶する。また、本発明例では、パレンタルレベルのチェックを行うときにサーチされたパレンタルブロックに関する情報８２、パレンタルブロックのパレンタルレベル間の差分に関するデータ８４、ユーザーによってパレンタルブロック毎に選択されたパレンタルレベル８６等が記憶される。パレンタルレベル記憶部８８は、好ましくは、ハードディスク等の書き換え可能な不揮発性記憶媒体であり、ＤＶＤプレーヤー側に設定されたパレンタルレベルを保存する。
【００１８】
次に、ＤＶＤに記録されたデータの再生について説明する。ＤＶＤに記録されたデータを再生するとき、その再生はプログラムチェーン（ＰＧＣ）単位で行われる。プログラムチェーンは、プログラムチェーン情報（ＰＧＣＩ）と複数のビデオオブジェクト（ＶＯＢ）を含む。プログラムチェーン情報（ＰＧＣＩ）は、ビデオオブジェクト（ＶＯＢ）の再生経路もしくは再生順序等に関する情報を含んでいる。ビデオオブジェクト（ＶＯＢ）は、画像やオーディオ等の再生データから構成され、各ビデオオブジェクト（ＶＯＢ）は、再生対象である複数のセル（ＣＥＬＬ）から構成される。
【００１９】
パレンタルレベルは、最大で８つのレベルに分類される。ＤＶＤ２０には、一つのパレンタルブロックに対して各パレンタルレベルに対応する最大で８つのプログラムチェーンが記録されている。パレンタルレベルが付与されたプログラムチェーン（ＰＧＣ）は、そのプログラムチェーン情報（ＰＧＣＩ）にパレンタルＩＤが含まれ、パレンタルＩＤによって、そのプログラムチェーンがどのパレンタルレベルかを識別することができる。
【００２０】
図２（ａ）は、８つのパレンタルレベルに対応するプログラムプルグラムチェーン（ＰＧＣ＃１〜＃８）を説明する図である。１つのストーリが、複数のプログラムチェーンから構成され、その内のいくつかのプログラムチェーンはパレンタルレベルの対象ではなく（共通部分＃１、＃２、＃３）、いくつかのプログラムチェーンがパレンタルレベルの対象であるとする。パレンタルレベルの対象でないプログラムチェーンは、データが共通つまり同一であり、言い換えれば、単一のプログラムチェーンである。他方、パレンタルレベルの対象となるプログラムチェーンは、そのレベル別に複数のプログラムレベル数のパレンタルチェーンを有する。ここでは、そのようなパレンタルレベルの対象となる複数のプログラムチェーンを、パレンタルブロックという。
【００２１】
図２（ａ）では、共通のプログラムチェーンの間に、パレンタルブロック＃１、＃２を含み、各パレンタルブロック＃１、＃２は、８つのパレンタルレベルに対応するプログラムチェーン（ＰＧＣ＃１〜＃８）を有している。プログラムチェーン（ＰＧＣ＃１〜＃８）の各ビデオオブジェクト（ＶＯＢＶＢ）は、レベルに応じて再生するセルデータを異にし、パレンタルレベルが厳しくなるにつれ、過激な暴力シーン等がカットされるようになっている。プログラムチェーンが、パレンタルレベルの対象であるか否かは、プログラムチェーン情報（ＰＧＣＩ）に記録されている。
【００２２】
図２（ｂ）は、パレンタルブロック＃１に含まれるパレンタルレベル（ＰＬ）１から８までのセルデータの一例を示す図である。ここでは、例として、セル＃１からセル＃１２が再生の対象であり、その順序に従いセルデータが再生されるものとする。パレンタルレベル８は、視聴制限が最も緩いレベルであるため、セル＃１からセル＃１２までのすべてが再生される。パレンタルレベル７は、それよりも１ランクだけ視聴制限が厳しくなり、その結果、過激なシーンを含むセル＃５が再生対象からはずされる。パレンタルレベル６は、さらに１ランクだけ視聴制限が厳しくなり、過激なシーンを含むセル４が再生対象からはずされる。以下、同様に、パレンタルレベルの数が小さくなるに従い、視聴制限が徐々に厳しくなり、それに伴い、より過激なシーンを含む画像、場面、音声を含むセルデータが再生対象からはずされる。もっとも視聴制限が厳しいパレンタルレベル１では、セル＃１、＃３、＃６、＃７、＃１２の順序で再生が行われる。
【００２３】
次に、ＤＶＤのデータに付与されたパレンタルレベルのチェックおよびパレンタルレベルの設定方法について図３を参照して説明する。ＤＶＤプレーヤーにＤＶＤ２０を装着した状態から、パレンタルレベルをチェックする動作が開始される。ユーザーが入力部４０を介してパレンタルレベルチェックの指示を与えると、制御部９０は、パレンタルレベルチェック用のプログラム７４に従いその動作を開始する。
【００２４】
制御部９０は、ＤＶＤ２０に記録された再生制御情報、すなわちプログラムチェーン情報（ＰＧＣＩ）を参照し、パレンタルブロック＃１、＃２・・・＃ｎをサーチする（ステップＳ１０１）。パレンタルブロックに該当するプログラムチェーン情報（ＰＧＣＩ）から、セルの再生情報をレベル毎に抽出する（ステップＳ１０２）。例えば、図２（ｂ）のパレンタルブロック＃１の場合、パレンタルレベル１の再生情報として、セル＃１、＃３、＃６、＃７、＃１２の順序でセルデータを再生することを抽出し、パレンタルレベル２の再生情報として、セル＃１、＃２、＃３、＃６、＃７、＃１２の順序でセルデータを再生することを抽出し、パレンタルレベル３以降についても同様の処理が行われる。
【００２５】
次に、セルの再生情報に基づき、隣接するパレンタルレベル間で再生するセルの異なる部分を判別する（ステップＳ１０３）。本実施例では、はじめに、最低のパレンタルレベル（パレンタルレベル８）とその一つ上のパレンタルレベル（パレンタルレベル７）間において異なるセル部分を判別する。図２（ｂ）を例にすると、パレンタルレベル８の再生情報（再生経路）は、セル＃１〜セル＃１２のすべてのセルが再生対象であり、パレンタルレベル７の再生経路は、セル＃１〜＃１２であるがセル＃５が削除されている。このため、両者の再生情報を比較することで、セル＃５が異なる部分であることが判明する。
【００２６】
制御部９０は、この判別結果から、セル＃５の再生データをディスプレイ５２に表示させる。このとき、好ましくは、ディスプレイ６２に、パレンタルレベル８と７の異なる部分を再生中であることを表示する。
【００２７】
次に、制御部９０は、パレンタルレベル７とパレンタルレベル６とを比較し、両者の異なる部分、すなわち、図２（ｂ）の例では、セル＃４を再生する（ステップＳ１０３、Ｓ１０４）。こうして、パレンタルレベルを順次１つずつ繰り上げながら、隣接するパレンタルレベル間の異なるセルの判別、再生を行い、パレンタルブロックのすべてのレベルに対して同様の処理を行う（ステップＳ１０５）。
【００２８】
パレンタルブロック＃１における異なるセル部分の再生がすべて終了した時点で、ディスプレイ５２に、どのパレンタルレベルを選択するかの入力画面を表示する。好ましくは、ディスプレイ５２に、パレンタルレベル１〜８までのボタンが提示される。ユーザーは、ディスプレイ５２を介して隣接するパレンタルレベル間で異なる場面やシーンを順次対比しながら、パレンタルレベルを確認することで、最適なパレンタルレベルを選択することができる（ステップＳ１０７）。ユーザーによって選択されたパレンタルレベルは、パレンタルブロック＃１と関連付けされデータメモリ８０に記憶される。
【００２９】
次に、制御部９０は、パレンタルブロック＃２について、上記と同様に、隣接するパレンタルレベル間で相違する部分のセルを判別しそれを再生する。そして、ユーザーによるパレンタルレベルのチェック後に、ユーザーが最適なパレンタルレベルを選択し、これが記憶される（ステップＳ１０３〜Ｓ１０７）。
【００３０】
図４は、上記パレンタルブロック＃１、＃２についてのパレンタルレベルのチェック動作を示す図である。すべてのパレンタルブロック＃１、＃２についてのパレンタルレベルの選択が終了すると、制御部９０は、すべての選択されたパレンタルレベルのうち、最低のパレンタルレベルをデフォルト値として設定し、この設定値がパレンタルレベル記憶部８８に保存される（ステップＳ１０９）。これにより、ＤＶＤ２０のこのストーリが再生するとき、パレンタルレベル記憶部８８に記憶されたパレンタルレベルに従い再生が行われる。
【００３１】
本実施例では、パレンタルブロックに含まれるパレンタルレベル間で相違するセル部分のみを再生するようにしたので、効率良くパレンタルレベルのチェックを行うことができる。さらに、隣接するパレンタルレベルを、順次見比べることができるので、パレンタルレベルの相違を容易に認識することが可能となる。例えば、パレンタルレベル３を確認する場合、パレンタルレベル３は、パレンタルレベル４５とパレンタルレベル２と対比されるので、相対的なレベル差を容易に確認することができる。
【００３２】
次に、本発明の第２の実施の形態に係るパレンタルレベルの設定方法について図５を参照して説明する。パレンタルレベルのチェックは、第１の実施の形態と同じであり、図５のステップＳ２０１からＳ２０８は、図３のステップＳ１０１からＳ１０８と同じである。但し、第２の実施の形態では、パレンタルブロック毎にユーザーによって選択されたパレンタルレベルが、パレンタルレベルとして設定され、これがパレンタルレベル記憶部８８に保存される（ステップＳ２０９）。プレーヤーはパレンタルブロック再生時に、選択されたレベルに従って随時、プレーヤーに設定されるパレンタルレベルに設定されるパレンタルレベルを変更する。これにより、より最適化されたパレンタルレベルの設定を行うことができ、その結果、パレンタルブロック毎に好ましいパレンタルレベルでの再生を行うことができる。
【００３３】
以上説明したように、本実施の形態によれば、プログラムチェーンを構成するセル単位でのパレンタルレベルのチェックを可能としたため、これを短時間にて行うことができる。プログラムチェーン単位でのパレンタルレベルのチェックを行う場合、その再生時間が長いと（例えば、映画のように長いものもある）、チェックに要する時間も長くなってしまい、効率が悪かった。しかし、パレンタルレベル間の差分であるセル単位でのチェック・再生を行うことで、再生時間が長いプログラムチェーンであっても、短時間で効率良く、パレンタルレベルのチェックを行うことができる。
【００３４】
また、パレンタルレベル相互間の異なる部分だけを再生し、これをチェックするようにしたので、さらなるチェック時間の短縮化、効率化を可能にする。さらに、パレンタルブロック単位でのパレンタルレベルの設定を可能にすることで、よりカスタマイズしたデータの再生を行うことができる。
【００３５】
以上、本発明の好ましい実施の形態について詳述したが、本発明は係る特定の実施形態に限定されるものではなく、特許請求の範囲に記載された本発明の要旨の範囲内において、種々の変形・変更が可能である。
【００３６】
ＤＶＤプレーヤーは、一例であり、これ以外のデータ装置にも適用することが可能である。例えば、車載用のＤＶＤ装置でもよく、さらに、ＴＶ機能やナビゲーション機能等の他の機能を複合するものでもよい。ＤＶＤプレーヤーは、単一の装置であってもよいし、いくつかの装置を組み合わせシステムであってもよい。本発明のデータ再生装置は、このようなＤＶＤプレーヤーを一例として含むものであり、これに限定されるものではない。
【００３７】
さらに、ＤＶＤのデータに付与されるパレンタルレベルは、必ずしも８つのすべてのレベルを有するものに限定されず、それよりも少ないレベルであってもよい。ＤＶＤプレーヤーに設定されるパレンタルレベルは、必ずしも、ＤＶＤに付与されたパレンタルレベルと一致しなくともよく、一致しない場合には、それに一番近いそのレベルより小さいレベルのプログラムチェーンが再生される。
【００３８】
さらに、再生されるデータは、動画、静止画、コマ送り等の画像データや、オーディオデータであってもよく、ＤＶＤに記録されるデータはＭＰＥＧ等の圧縮されたデータであっても良い。
【００３９】
【発明の効果】
本発明によれば、パレンタルブロック内の各パレンタルレベル間で異なる部分のデータを再生するようにしたので、両者の相違をより顕著に認識することができるとともに、パレンタルレベルを確認するときのデータ再生時間を短縮することができ、効率化を図ることができる。
【図面の簡単な説明】
【図１】図１は、ＤＶＤプレーヤーの構成を示すブロック図である。
【図２】図２（ａ）は、一つのストーリに含まれる共通部分のプログラムチェーンとパレンタルレベルの対象のデータを含むパレンタルブロックを示し、図２（ｂ）はパレンタルブロックの各パレンタルレベルで再生されるセルデータの一例を示す図である。
【図３】図３は、第１の実施の形態に係るパレンタルレベルのチェックおよびパレンタルレベルの設定方法を示すフローチャートである。
【図４】図４は、図３に示すパレンタルレベルのチェックの動作を概念的に示した図である。
【図５】図５は、第２１の実施の形態に係るパレンタルレベルのチェックおよびパレンタルレベルの設定方法を示すフローチャートである。
【図６】従来のパレンタルレベルの確認動作を説明する図である。
【符号の説明】
１０：ＤＶＤプレーヤー、２０：ＤＶＤ、３０：読取駆動部、４０：入力部、
５０：画像処理部、５２：ディスプレイ、６０：オーディオ処理部、
６２：スピーカ、７０：プログラムメモリ、８０：データメモリ、
８８：パレンタルレベル記憶部、９０：制御部
【図１】
2005044388.tif 000003
【図２】
2005044388.tif 000004
【図３】
2005044388.tif 000005
【図４】
2005044388.tif 000006
【図５】
2005044388.tif 000007
【図６】
2005044388.tif 000008